(57)【要約】【課題】通信ユニットの小型化と低コスト化を図ること。【解決手段】熱源機１と、この熱源機１より電力が供給され熱源機１と床暖房用無線リモコン２との無線通信を中継する通信ユニット３とからなり、通信ユニット３には、熱源機１より供給される電力を電圧変換し、制御部５に電力を供給するＤＣ／ＤＣコンバータ回路４を備えている。これによって、電圧変換時に発生する熱量が削減できるので従前の放熱板や冷却ファンが不要となり、通信ユニットの小型化と低コスト化を実現することができる。【選択図】　図１
2004132583.tif 000002
【特許請求の範囲】
【請求項１】
熱源機と、複数の床暖房用無線リモコンと、前記熱源機より電力を供給され前記熱源機と前記床暖房用無線リモコンとの無線通信を中継する通信ユニットと、前記通信ユニットの制御部と、前記通信ユニットに前記熱源機より供給される電力を電圧変換し、前記制御部に電力を供給するＤＣ／ＤＣコンバータ回路を備えた給湯暖房機の無線制御システム。
【請求項２】
ＤＣ／ＤＣコンバータ回路の電源入力部に抵抗を挿入した請求項１記載の給湯暖房機の無線制御システム。
【請求項３】
ＤＣ／ＤＣコンバータ回路の替わりに、複数の三端子レギュレータＩＣを直列に使用した請求項１記載の給湯暖房機の無線制御システム。
【請求項４】
ＤＣ／ＤＣコンバータ回路の替わりに、複数のツェナ−ダイオードと三端子レギュレータＩＣを直列に使用した請求項１記載の給湯暖房機の無線制御システム。
【請求項５】
ＤＣ／ＤＣコンバータ回路の替わりに、複数の抵抗と三端子レギュレータＩＣを直列を使用した請求項１記載の給湯暖房機の無線制御システム。
【発明の詳細な説明】
【０００１】
【発明の属する技術分野】
本発明は、給湯暖房機の無線制御システムに関するものである。
【０００２】
【従来の技術】
従来この種の無線制御システムとしては、給湯やシャワー、浴槽の無線リモコンとは無線通信でも実現できていたが、床暖房のリモコンとは有線通信でしか実現されていない。
【０００３】
給湯やシャワー、浴槽の無線リモコンと熱源機との間で無線通信を行っている従来の給湯暖房機を図９を用いて説明する。図９において、１は熱源機、２ａは給湯やシャワー、浴槽の無線リモコン、３ｅは熱源機１と給湯やシャワー、浴槽の無線リモコン２ａとの間の無線通信の中継を行う通信ユニット、４ｄは熱源機１から供給される電源を電圧変換する三端子レギュレータＩＣ、５ａは三端子レギュレータＩＣ４ｄから供給される電源で動作する通信ユニット３ｅの制御部である。
【０００４】
ここで熱源機１は、通信ユニット３ｅに電源としてＤＣ８Ｖを供給する。通信ユニット３ｅ内部の三端子レギュレータＩＣ４ｄは、ＤＣ８ＶをＤＣ５Ｖに電圧変換して制御部５ａに電源供給を行う。制御部５ａは三端子レギュレータＩＣ４ｄから供給されるＤＣ５Ｖを電源として通信ユニット３ｅを制御し、熱源機１と給湯やシャワー、浴槽の無線リモコン２ａとの無線通信の中継を制御する。
【０００５】
【発明が解決しようとする課題】
しかしながら、床暖房のリモコンに無線通信を実現するにあたり、給湯やシャワー、浴槽の無線リモコンと同様に熱源機と床暖房用無線リモコンとの間に無線通信を中継をする通信ユニットが必要になる。通信ユニットの制御部はＤＣ５Ｖで動作する。従来は給湯やシャワー、浴槽の無線リモコンとの通信用として熱源機からＤＣ８Ｖ電源を通信ユニットに供給していたが、床暖房リモコンとの通信用には各メーカー共通仕様のＤＣ２０Ｖ〜ＤＣ３５Ｖを供給する必要がある。従って従来はＤＣ８ＶからＤＣ５Ｖに変換するだけでよかったが、床暖房用無線リモコンの場合はＤＣ２０〜３５Ｖの電圧をＤＣ５Ｖに変換することが必要になる。
【０００６】
このため従来と同様に三端子レギュレータＩＣで電圧変換を行うと、三端子レギュレータＩＣで損失する熱量が増大するため三端子レギュレータＩＣに大きな放熱板や冷却用の送風ファンを取り付ける必要があり、通信ユニットの小型化・低コスト化が課題であった。
【０００７】
【課題を解決するための手段】
本発明は上記課題を解決するために、三端子レギュレータＩＣの替わりにＤＣ／ＤＣコンバータ回路を搭載することで、放熱板や冷却ファンを不要にし通信ユニットの小型化と低コスト化を実現するものである。
【０００８】
【発明の実施の形態】
本発明は、熱源機と、複数の床暖房用無線リモコンと、前記熱源機より電源を供給され前記熱源機と前記床暖房用無線リモコンとの無線通信の中継を行う通信ユニットを備え、前記通信ユニット内には制御部と、前記熱源機より供給される電源を電圧変換し前記制御部に電源供給を行うＤＣ／ＤＣコンバータ回路を備えたものである。そして、熱源機より供給されるＤＣ２０〜３５Ｖの電源をＤＣ／ＤＣコンバータ回路でＤＣ５Ｖに変換するため、放熱板や冷却ファンを使用せず通信ユニットを実現することができる。
【０００９】
また、ＤＣ／ＤＣコンバータ回路の電源入力部に抵抗を備えたものである。そして、熱源機より供給されるＤＣ２０〜３５Ｖの電源をＤＣ／ＤＣコンバータ回路でＤＣ５Ｖに変換するため、放熱板や冷却ファンを使用せず通信ユニットを実現することができる。更にＤＣ／ＤＣコンバータ回路の電源入力部に抵抗を備えているので熱源機から供給される電源のピーク電流を低減することができる。
【００１０】
また、ＤＣ／ＤＣコンバータ回路のかわりに、複数の三端子レギュレータＩＣを直列に備えたものである。そして、電圧変換時に損失する熱量を複数の三端子レギュレータＩＣで分散させるため、放熱板や冷却ファンを使用せず通信ユニットを実現することができる。
【００１１】
また、ＤＣ／ＤＣコンバータ回路のかわりに、複数のツェナ−ダイオードと三端子レギュレータＩＣを直列に備えたものである。そして、電圧変換時に損失する熱量を複数のツェナ−ダイオードと三端子レギュレータＩＣで分散させるため、放熱板や冷却ファンを使用せず通信ユニットを実現することができる。
【００１２】
また、ＤＣ／ＤＣコンバータ回路のかわりに、複数の抵抗と三端子レギュレータＩＣを直列に備えたものである。そして、電圧変換時に損失する熱量を複数の抵抗と三端子レギュレータＩＣで分散させるため、放熱板や冷却ファンを使用せず通信ユニットを実現することができる。
【００１３】
【実施例】
以下、本発明の実施例について図面を参照して説明する。
【００１４】
（実施例１）
本発明の実施例１を図１に基づいて説明する。図において、１は熱源機、２は床暖房用の無線リモコン、３は熱源機１と床暖房用無線リモコン２との間の無線通信の中継を行う通信ユニット、４は通信ユニット３内に設けられた熱源機１から供給される電源を電圧変換するＤＣ／ＤＣコンバータ回路、５はＤＣ／ＤＣコンバータ回路４から供給される電源で動作する通信ユニット３の制御部である。
【００１５】
ここで熱源機１は、通信ユニット３に電源としてＤＣ２０〜３５Ｖを供給する。通信ユニット３内部のＤＣ／ＤＣコンバータ回路４は、ＤＣ２０〜３５ＶをＤＣ５Ｖに電圧変換して制御部５に電源供給を行う。制御部５はＤＣ／ＤＣコンバータ回路４から供給されるＤＣ５Ｖを電源として通信ユニット３を制御し、熱源機１と床暖房用の無線リモコン２との無線通信の中継を行う。
【００１６】
図２にＤＣ／ＤＣコンバータ回路４としてコンデンサ６・１０、ＤＣ／ＤＣコンバータＩＣ７、ダイオード８、コイル９で構成した例を示す。コンデンサ６は１００μＦ、ＤＣ／ＤＣコンバータＩＣ７はサンケン電気製のＳＩ−８０５０Ｅ、ダイオード８は新電元製のＤ１ＮＳ４、コイル９は２２０μＨ、コンデンサ１０は２２０μＦを使用したときに熱源機から供給される電源ＤＣ２０〜３５Ｖに対し、制御部５へ供給する電圧としてＤＣ５±０．５Ｖを実現でき、放熱板や冷却ファンを使用せず通信ユニット３を構成することができる。
【００１７】
以上のように、熱源機１から供給されるＤＣ２０〜３５Ｖの電源をＤＣ／ＤＣコンバータ回路４でＤＣ５Ｖに電圧変換することで電圧変換時に発生する熱量を大幅に削減することができ、放熱板や冷却ファンが不要になり通信ユニットの小型化と低コスト化を実現することができる。
【００１８】
なお、本実施例では床暖房用無線リモコンは１つの場合で説明したが複数であってもよい。また、制御部５の電源電圧はＤＣ５Ｖで説明したが制御部が動作できる電圧であれば他の電圧であってもよい。
【００１９】
（実施例２）
次に本発明の実施例２を図４に基づいて説明する。なお、本発明の実施例１と異なる点は、熱源機１からＤＣ／ＤＣコンバータ回路４に電源を供給するラインに抵抗１１を挿入した点である。ここで、熱源機１は、通信ユニット３ａに電源としてＤＣ２０〜３５Ｖを供給する。通信ユニット３ａ内部のＤＣ／ＤＣコンバータ回路４は、ＤＣ２０〜３５ＶをＤＣ５Ｖに電圧変換して制御部５に電源供給を行う。制御部５はＤＣ／ＤＣコンバータ回路４から供給されるＤＣ５Ｖを電源として通信ユニット３ａを制御し、熱源機１と床暖房用の無線リモコン２との無線通信の中継を行う。
【００２０】
以上のように、本発明の実施例１と同様に熱源機１から供給されるＤＣ２０〜３５Ｖの電源をＤＣ／ＤＣコンバータ回路４でＤＣ５Ｖに電圧変換することで電圧変換時に発生する熱量を大幅に削減することができ、放熱板や冷却ファンが不要になり通信ユニットの小型化と低コスト化を実現することができる。
【００２１】
また図３に本発明の実施例１である図２の場合で、熱源機からＤＣ２５Ｖが供給されている時に制御部５に１２０ｍＡの電流が流れたときの熱源機１から供給される電源の波形を示す。図３に示しているとおり、熱源機１から供給される電源の電流は三角波に似た波形となる。このため短時間ではあるがＤＣ／ＤＣコンバータ回路４に大きな電流を流す必要があるため、熱源機１内部の電源回路は大容量の電源が必要となる。また急激な電流の変化によるノイズ等、機器の誤動作の原因が課題となる。
【００２２】
しかしながら、図４に示しているとおり抵抗１１を挿入することでＤＣ／ＤＣコンバータ回路４に供給する電流を平滑化することができる。例としてＤＣ／ＤＣコンバータ回路４に本発明の第１の実施例である図２と同じ回路を用い、抵抗１１に５１Ωを使用したときのＤＣ／ＤＣコンバータ回路４に供給する電流波形を図５に示す。図５に示しているとおり、熱源機１からＤＣ／ＤＣコンバータ回路４に供給する電流が平滑化することができる。
【００２３】
以上のとおり、抵抗１１を挿入することで熱源機１から供給される電流を平滑化し、ピーク電流を低減することができ、熱源機１の電源回路の小型化や急激な電流の変化によるノイズ等、機器の誤動作の原因を除去することができる。なお、本実施例では床暖房用無線リモコンは１つの場合で説明したが複数であってもよい。また、制御部５の電源電圧はＤＣ５Ｖで説明したが制御部が動作できる電圧であれば他の電圧であってもよい。
【００２４】
（実施例３）
次に実施例３を図６に基づいて説明する。図において、１は熱源機、２は床暖房用の無線リモコン、３ｂは熱源機１と床暖房用無線リモコン２との間の無線通信の中継を行う通信ユニット、４ａは通信ユニット３ｂ内に設けられた熱源機１から供給される電源を電圧変換する三端子レギュレータＩＣ、４ｂは三端子レギュレータＩＣ４ａで電圧変換された電圧を更に変換する三端子レギュレータＩＣ、５は三端子レギュレータＩＣ４ｂから供給される電源で動作する通信ユニット３ｂの制御部である。
【００２５】
本発明の実施例１と異なる点は、ＤＣ／ＤＣコンバータ回路４の変わりに三端子レギュレータＩＣ４ａ、４ｂを直列に使用した点である。ここで熱源機１は、通信ユニット３ｂに電源としてＤＣ２０〜３５Ｖを供給する。通信ユニット３ｂ内部の三端子レギュレータＩＣ４ａは、ＤＣ２０〜３５Ｖの電源を電圧変換で降圧させ三端子レギュレータＩＣ４ｂに出力する。三端子レギュレータＩＣ４ｂは三端子レギュレータＩＣ４ａから供給される電源を更にＤＣ５Ｖに電圧変換して制御部５に電源供給を行う。制御部５は三端子レギュレータＩＣ４ｂから供給されるＤＣ５Ｖを電源として通信ユニット３ｂを制御し、熱源機１と床暖房用の無線リモコン２との無線通信の中継を行う。
【００２６】
以上のように、熱源機１から供給されるＤＣ２０〜３５Ｖの電源を三端子レギュレータＩＣ４ａ、４ｂと複数の三端子レギュレータＩＣでＤＣ５Ｖに電圧変換することで電圧変換時に発生する熱量を複数の三端子レギュレータＩＣで分割することができ、三端子レギュレータＩＣ１個当たりの発熱量を削減することで放熱板や冷却ファンが不要になり通信ユニットの小型化と低コスト化を実現することができる。
【００２７】
なお、本実施例では床暖房用無線リモコンは１つの場合で説明したが複数であってもよい。また、制御部５の電源電圧はＤＣ５Ｖで説明したが制御部が動作できる電圧であれば他の電圧であってもよい。また三端子レギュレータＩＣの数は２個の場合で説明したが、更に多数の三端子レギュレータＩＣを使用してもよい。
【００２８】
（実施例４）
次に実施例４を図７に基づいて説明する。図において、１は熱源機、２は床暖房用の無線リモコン、３ｃは熱源機１と床暖房用無線リモコン２との間の無線通信の中継を行う通信ユニット、１２は通信ユニット３ｄ内に設けられた熱源機１から供給される電源をツェナ−電圧分だけ電圧降下させるツェナ−ダイオード、４ｃはツェナ−ダイオード１２で電圧降下された電圧を更にＤＣ５Ｖに変換する三端子レギュレータＩＣ、５は三端子レギュレータＩＣ４ｃから供給される電源で動作する通信ユニット３ｃの制御部である。
【００２９】
本発明の実施例１と異なる点は、ＤＣ／ＤＣコンバータ回路４の変わりにツェナーダイオード１２、三端子レギュレータＩＣ４ｃを直列に使用した点である。ここで、熱源機１は、通信ユニット３ｃに電源としてＤＣ２０〜３５Ｖを供給する。通信ユニット３ｃ内部のツェナ−ダイオード１２は、ＤＣ２０〜３５Ｖの電源をツェナ−電圧分だけ降圧させ三端子レギュレータＩＣ４ｃに出力する。三端子レギュレータＩＣ４ｃはツェナ−ダイオード１２から供給される電源を更にＤＣ５Ｖに電圧変換して制御部５に電源供給を行う。制御部５は三端子レギュレータＩＣ４ｃから供給されるＤＣ５Ｖを電源として通信ユニット３ｃを制御し、熱源機１と床暖房用の無線リモコン２との無線通信の中継を行う。
【００３０】
以上のように、熱源機１から供給されるＤＣ２０〜３５Ｖの電源をツェナ−ダイオード１２、三端子レギュレータＩＣ４ｃと複数のツェナ−ダイオードと三端子レギュレータＩＣでＤＣ５Ｖに電圧変換することで電圧変換時に発生する熱量を複数のツェナ−ダイオードと三端子レギュレータＩＣで分割することができ、素子１個当たりの発熱量を削減することで放熱板や冷却ファンが不要になり通信ユニットの小型化と低コスト化を実現することができる。
【００３１】
なお、本実施例では床暖房用無線リモコンは１つの場合で説明したが複数であってもよい。また、制御部５の電源電圧はＤＣ５Ｖで説明したが制御部が動作できる電圧であれば他の電圧であってもよい。またツェナ−ダイオードと三端子レギュレータＩＣの数はそれぞれ１個の場合で説明したが、更に複数のツェナ−ダイオード、三端子レギュレータＩＣを使用してもよい。
【００３２】
（実施例５）
次に実施例５について図８に基づいて説明する。図において、１は熱源機、２は床暖房用の無線リモコン、３ｄは熱源機１と床暖房用無線リモコン２との間の無線通信の中継を行う通信ユニット、１３は通信ユニット３ｃ内に設けられた熱源機１から供給される電源を電圧降下させる抵抗、４ｃは抵抗１３で電圧降下された電圧を更にＤＣ５Ｖに変換する三端子レギュレータＩＣ、５は三端子レギュレータＩＣ４ｃから供給される電源で動作する通信ユニット３ｄの制御部である。
【００３３】
本発明の実施例１と異なる点は、ＤＣ／ＤＣコンバータ回路４の変わりに抵抗１３、三端子レギュレータＩＣ４ｃを直列に使用した点である。ここで熱源機１は、通信ユニット３ｄに電源としてＤＣ２０〜３５Ｖを供給する。通信ユニット３ｄ内部の抵抗１３は、ＤＣ２０〜３５Ｖの電源を電流×抵抗値分だけ電圧降圧させる。三端子レギュレータＩＣ４ｃは抵抗１３で電圧降下された電源を更にＤＣ５Ｖに電圧変換して制御部５に電源供給を行う。制御部５は三端子レギュレータＩＣ４ｃから供給されるＤＣ５Ｖを電源として通信ユニット３ｃを制御し、熱源機１と床暖房用の無線リモコン２との無線通信の中継を行う。
【００３４】
以上のように、熱源機１から供給されるＤＣ２０〜３５Ｖの電源を抵抗１３、三端子レギュレータＩＣ４ｃと複数の抵抗と三端子レギュレータＩＣでＤＣ５Ｖに電圧変換することで電圧変換時に発生する熱量を複数の抵抗と三端子レギュレータＩＣで分割することができ、素子１個当たりの発熱量を削減することで放熱板や冷却ファンが不要になり通信ユニットの小型化と低コスト化を実現することができる。
【００３５】
なお、本実施例では床暖房用無線リモコンは１つの場合で説明したが複数であってもよい。また、制御部５の電源電圧はＤＣ５Ｖで説明したが制御部が動作できる電圧であれば他の電圧であってもよい。また抵抗と三端子レギュレータＩＣの数はそれぞれ１個の場合で説明したが、更に複数の抵抗、三端子レギュレータＩＣを使用してもよい。
【００３６】
【発明の効果】
以上の説明から明らかなように、本発明の請求項１に係る給湯暖房機の無線制御システムは、熱源機から供給されるＤＣ２０〜３５Ｖの電源をＤＣ／ＤＣコンバータ回路でＤＣ５Ｖに電圧変換することで電圧変換時に発生する熱量を大幅に削減することができ、放熱板や冷却ファンが不要になり通信ユニットの小型化と低コスト化を実現することができる。
【００３７】
また、請求項２に係る給湯暖房機の無線制御システムは、請求項１の効果に加え、更に抵抗をＤＣ／ＤＣコンバータ回路の入力部に挿入することで熱源機から供給される電源電流を平滑化し、ピーク電流を低減することができ、熱源機の電源回路の小型化や急激な電流の変化によるノイズ等、機器の誤動作の原因を除去することができる。
【００３８】
また、請求項３に係る給湯暖房機の無線制御システムは、熱源機から供給されるＤＣ２０〜３５Ｖの電源を複数の三端子レギュレータＩＣでＤＣ５Ｖに電圧変換することで電圧変換時に発生する熱量を複数の三端子レギュレータＩＣで分割することができ、三端子レギュレータＩＣ１個当たりの発熱量を削減することで放熱板や冷却ファンが不要になり通信ユニットの小型化と低コスト化を実現することができる。
【００３９】
また、請求項４に係る給湯暖房機の無線制御システムは、熱源機から供給されるＤＣ２０〜３５Ｖの電源を複数のツェナ−ダイオードと三端子レギュレータＩＣでＤＣ５Ｖに電圧変換することで電圧変換時に発生する熱量を複数のツェナ−ダイオードと三端子レギュレータＩＣで分割することができ、素子１個当たりの発熱量を削減することで放熱板や冷却ファンが不要になり通信ユニットの小型化と低コスト化を実現することができる。
【００４０】
また、請求項５に係る給湯暖房機の無線制御システムは、熱源機から供給されるＤＣ２０〜３５Ｖの電源を複数の抵抗と三端子レギュレータＩＣでＤＣ５Ｖに電圧変換することで電圧変換時に発生する熱量を複数の抵抗と三端子レギュレータＩＣで分割することができ、素子１個当たりの発熱量を削減することで放熱板や冷却ファンが不要になり通信ユニットの小型化と低コスト化を実現することができる。
【図面の簡単な説明】
【図１】本発明の実施例１における給湯暖房機の無線制御システムの回路ブロック図
【図２】本発明の実施例１における給湯暖房機の無線制御システムの回路ブロック図
【図３】同無線制御システムの電流波形図
【図４】本発明の実施例２における給湯暖房機の無線制御システムの回路ブロック図
【図５】同無線制御システムの電流波形図
【図６】本発明の実施例３における給湯暖房機の無線制御システムの回路ブロック図
【図７】本発明の実施例４における給湯暖房機の無線制御システムの回路ブロック図
【図８】本発明の実施例５における給湯暖房機の無線制御システムの回路ブロック図
【図９】従来の無線制御システムの回路ブロック図
【符号の説明】
１　熱源機
２　無線床暖房リモコン
２ａ　無線リモコン
３、３ａ〜３ｅ　通信ユニット
４　ＤＣ／ＤＣコンバータ回路
４ａ〜４ｄ　三端子レギュレータＩＣ
５、５ａ　制御部
６、１０　コンデンサ
７　ＤＣ／ＤＣコンバータＩＣ
８　ダイオード
９　コイル
１１、１３　抵抗
１２　ツェナ−ダイオード
【図１】
2004132583.tif 000003
【図２】
2004132583.tif 000004
【図３】
2004132583.tif 000005
【図４】
2004132583.tif 000006
【図５】
2004132583.tif 000007
【図６】
2004132583.tif 000008
【図７】
2004132583.tif 000009
【図８】
2004132583.tif 000010
【図９】
2004132583.tif 000011